(57)【要約】      （修正有）【課題】ダイヤルロックやＴＳＡロックなどによりセキュリティー機能を高めた旅行カバンを、高齢な旅行者でも不自由なく安心して使用できるためのカードタグを提供する。【解決手段】柔軟素材からなる表面部２と裏面部との間にシート状ルーペ５を収容してその周縁部を一体に固着し、該表面部２及び裏面部の中央部分にそれぞれＵ字状切込１３等を形成して設けた第１及び第２のカバー片１４等により、前記シート状ルーペ５の両側面を開閉可能に覆ってなるカードタグ１の一端に取外可能に連結した連結片１１を旅行カバンに取り付けてある。【選択図】図１
0003179334.tif 000002
【実用新案登録請求の範囲】
【請求項１】
柔軟素材からなる表面部（２）と裏面部（４）との間にシート状ルーペ（５）を収容してその周縁部に縫着部（６）を設けて一体に固着し、該表面部（２）及び裏面部（４）にそれぞれＵ字状切込（１３、１３ａ）を形成して第１及び第２のカバー片（１４、１４ａ）を設け、前記シート状ルーペ（５）の両側面を前記カバー片によりを開閉可能に覆ってなるカードタグ（１）を形成し、該カードタグの一端に取外可能に連結した連結片（１１）を旅行カバンＡに取り付けてなることを特徴とするカードタグ。
【請求項２】
前記表面部及び裏面部の中央部分にそれぞれ第１及び第２のＵ字状切込（１３、１３ａ）を形成してなる前記第１及び第２のカード片（１４、１４ａ）の上部に基部を位置する第１及び第２連結部（１５、１５ａ）をそれぞれ設け、前記カバー片（１４、１４ａ）の下部を上方に湾曲してシート状ルーペ（５）のレンズ部（５ａ）を露出させるようにしてなることを特徴とする請求項１記載のカードタグ。
【請求項３】
前記表面部及び裏面部の中央部分にそれぞれ第１及び第２のＵ字状切込（１３、１３ａ）を設けた第１のカバー片（１４）の下部に雄スナップ（３３）を設け、第２のカバー片（１４ａ）の下部に基部を固着させた帯片（３６）の先端内面に雌スナップ（３４）をそれぞれ設けてなり、該帯片の雌スナップ（３４）を第２のカバー片（１４ａ）の下部に設けた雄スナップ（３３）に着脱可能に止着してなることを特徴とする請求項１又は２記載のカードタグ。
【請求項４】
前記表面部及び裏面部の中央部分にそれぞれ設けた前記Ｕ字状切込（１３、１３ａ）を形成し、前記Ｕ字状切込（１３、１３ａ）に接近した該表面部（２）及び裏面部（４）の表面にそれぞれ第１掛止部（２２）を設け、前記カバー片（１４、１４ａ）の下部表面に夫々取り付けた突出片（１９）の裏面に、前記第１掛止部（２２）と着脱可能に止着する第２掛止部（２１）を設けてなることを特徴とする請求項１記載のカードタグ。
【請求項５】
前記表面部及び裏面部の中央部分にそれぞれ第１及び第２のＵ字状切込（１３、１３ａ）を設けて形成した第１、２カバー片（１４、１４ａ）の少なくとも一方のカバー片の裏面に、個人情報記載面（１７）を設けてなることを特徴とする請求項１ないし４のいずれか１記載のカードタグ。
【考案の詳細な説明】
【技術分野】
【０００１】
本考案は、スーツケース等の旅行カバンの任意箇所に取り付けて使用する改良型のカードタグに関するものである。
【背景技術】
【０００２】
最近の旅行ブームにより旅行客、特に団体旅行客が増加したことにより、様々な旅行カバンが市場に出回っているが、該カバンにはいろいろな機能を有したものがある。その一例として、旅行カバンの無断開錠を防いで盗難を防止するため、例えば、旅行カバンの杷手部付近に、複数の小さなダイヤルの数値を任意に組み合わせ、前もって定めた一定の数値に合致しないと開錠しないダイヤルロック方式や、米国旅行に際して入国時に手荷物検査を容易にするための統一錠であるＴＳＡロック方式の鍵や、その他の鍵を設けて旅行カバンのセキュリティーを高めたものがある。
【０００３】
前記ダイヤルロック方式における複数の小さなダイヤルや、ＴＳＡロック方式における鍵孔又は通常の鍵孔は小さいため、高齢な旅行者にとっては複数の小さなダイヤルを組み合わせた数値の識別や、旅行カバンの蓋を開錠させるため鍵を挿入する鍵孔の位置を確認することが困難であった。この場合、旅慣れた人はルーペ等を持参するが、旅慣れない人はルーペの持参を忘れたり、さらには、せっかくルーペを持参しても旅行カバン内などに仕舞い忘れてしまい使用できないことがある。
【０００４】
また、旅行カバンには、カバン所有者の名前を明示した名札を吊下げているが、最近は個人情報の漏洩を防ぐため吊下げカードの裏面部分に名前などの個人情報を表記したネームカード、即ち、トランクタグを旅行カバンの杷手部などに取り付けたものがある（特許公報１参照）。
【０００５】
また、封筒状のカードケースは従来から知られているが、このカード本体の表面または裏面に、ルーペの片面を外面に露出して取り付け、カードの表面に印刷した文字、記号などをルーペで拡大して確認するものがある（特許公報２参照）。このカードケースのカード本体の表面または裏面に取り付けたルーペの片面は、該カード本体の外面に露出しているため、該カードケースを繰り返し使用しているとルーペの表面に傷が付いて見難くなる。さらに、カードケースの片面にルーペを露出して取り付けてあると、該ルーペに当たった光が反射して事故を起こす可能性があるという問題点を有していた。
【先行技術文献】
【特許文献】
【０００６】
【特許文献１】特開２０１１―８５７１９号公報
【特許文献２】実開平５−８８３２０号公報
【考案の開示】
【考案が解決しようとする課題】
【０００７】
本考案は、盗難防止のために旅行カバンの無断開錠を防ぐ機能を高めた旅行カバンは、旅行カバンの杷手部付近にダイヤルロックを構成する数字や欧文字など複数の細かいダイヤルを設けたり、また、ＴＳＡロックを構成するＴＳＡ錠やその他の錠を設けたものがある。しかし、高齢な旅行者にとっては複数の細かいダイヤルを一定値に組み合わせたり、開錠キーを差し込む鍵孔を確認することが不自由であった。そのため、本考案は、旅行カバンに通常取り付ける所有者の名前等を表示するカードタグにシート状ルーペ、即ち、ルーペを設けことにより、細かいダイヤルを組み合わせた一定値の確認や鍵孔の確認を、高齢者の旅行者でもカードタグに設けたルーペを用いて不自由なく容易に行えるようにするものである。
【課題を解決するための手段】
【０００８】
上記課題を解決するために本考案は、柔軟素材からなる表面部２と裏面部４との間にシート状ルーペ５を収容してその周縁部に縫着部６を設けて一体に固着し、該表面部２及び裏面部４にそれぞれＵ字状切込１３、１３ａを形成して第１及び第２のカバー片１４、１４ａを設け、前記シート状ルーペ５の両側面を前記カバー片によりを開閉可能に覆ってなるカードタグ１を形成し、該カードタグの一端に取外可能に連結した連結片１１を旅行カバンＡに取り付けてなることを特徴とする。また、前記表面部及び裏面部の中央部分に位置してそれぞれ第１及び第２のＵ字状切込１３、１３ａを形成した前記第１及び第２のカバー片１４、１４ａの上部に基部を位置する第１及び第２連結部１５、１５ａをそれぞれ設け、前記カバー片１４、１４ａの下部を上方に湾曲してシート状ルーペ５のレンズ部５ａを露出させるようにしてなることを特徴とする。さらに、前記表面部及び裏面部の中央部分にそれぞれ第１及び第２のＵ字状切込１３、１３ａを設け、第１のカバー片１４の下部中央に雄スナップ３３を設け、第２のカバー片１４ａの下部中央に基部を固着した帯片３６の先端内面に雌スナップ３４をそれぞれ設けてなり、該帯片の雌スナップ３４を第２のカバー片１４ａの下部中央に設けた雄スナップ３３に着脱可能に止着してなることを特徴とする。さらにまた、前記表面部及び裏面部の中央部分にそれぞれ前記Ｕ字状切込１３、１３ａを形成し、前記Ｕ字状切込１３、１３ａに接近した該表面部２及び裏面部４の表面にそれぞれ第１掛止部２２を設け、前記カバー片１４、１４ａの下部表面に夫々取り付けた突出片１９の裏面に、前記第１掛止部２２と着脱可能に止着する第２掛止部２１を設けてなることを特徴とする。また、前記表面部及び裏面部の中央部分にそれぞれ第１及び第２のＵ字状切込１３、１３ａを設けて形成した第１、２カバー片１４、１４ａの少なくとも一方のカバー片の裏面に、個人情報記載面１７を設けてなることを特徴とする。
【考案の効果】
【０００９】
上記構成を有したネームタグは、柔軟素材により形成した表面部及び裏面部からなるネームタグの内部にシート状ルーペを固着して設けてあるため、通常はルーペがネームタグの内部にあるので外部からの光を反射することはない。さらに、このネームタグは拡大鏡であるルーペを有しているため、セキュリティ機能を高めるために旅行カバンに設けた細かい数字や欧文字の識別や鍵孔を有していても、該ルーペを用いることにより高齢な旅行者でも容易に識別したり確認することができる利点を有する。
【００１０】
その上、カードタグの表面部または裏面部のいずれか一方のカバー片の裏面に個人情報記載面を設けてあり、該個人情報記載面が通常は旅行カバンの表面に表れていないので、個人情報の漏洩を防止することができる。そして、必要なら該カバー片の裏面を見ることにより旅行カバンの持ち主を容易に確認することができる。
【００１１】
さらに、両者の間にルーペ５を有した表面部２と裏面部４の中央部分に第１及び第２のＵ字状切込１３，１３ａを設けて形成した第１のカバー片１４の下部裏面に取り付けた雄スナップ３３と、また、第２のカバー片１４ａの下部に基部を固着してやや長尺な帯片の先端裏面に取り付けた雌スナップ３４とを着脱可能に止着することにより、両カバー片が経年変化により材質が劣化してより柔軟になっても、前記雄スナップと雌スナップを止着することにより、両カバー片１４，１４ａの下部がルーペの両側面から離れることはなく、ルーペの両面に密着させておくことができるので、該ルーペの破損を防止することができる利点を有する。
【００１２】
また、カバー片の下部に面ファスナー等の第２掛止部を設け、ネームタグの表面部及び裏面部の下部であって前記カバー片に接近した位置に設けた前記第２掛止部と着脱可能に接離する第１掛止部を設けてあるので、前記第１，２カバー片の上部に位置する連結部が劣化して該カバー片の下部がルーペから離れるようになっても、前記第１，２掛止部を互いに掛止させることにより前記カバー片の下部を確実にネームタグの下部に接着させて掛止しておくことができる。
【図面の簡単な説明】
【００１３】
【図１】本考案の第１実施形態を示すカードタグの正面図である。
【図２】図１の背面図である。
【図３】図１のＡ−Ａ線方向拡大断面図である。
【図４】図３の上下を逆さにしてルーペの両側面に位置する両カバー片の端部をそれぞれ下方に湾曲して重ねて保持した状態を示す一部省略した断面図である。
【図５】カードタグを旅行カバンの杷手部に取り付けた状態を示す説明図である。
【図６】ルーペの両側面を覆うカバー片の一方の裏面に設けた個人情報記載面を示す説明図である。
【図７】本考案の第２実施形態を示す正面図である。
【図８】帯片の先端に設けた雌スナップを雄スナップから外した第１のカバ―片を上方に湾曲した状態の斜視図である。
【図９】図７に示したカードタグの上下を逆さにした背面図で、第１のカバー片を下方に湾曲し、第２のカバー片を下方に湾曲した状態の斜視図である。
【図１０】本考案の第３実施形態を示す第１のカバー片の下部に設けた第２掛止部を示す一部省略した拡大平面図である。
【図１１】第１のＵ字状切込に接近した表面部の下部に設けた第１掛止部を示す一部省略した拡大平面図である。
【図１２】ルーペの正面図である。
【考案を実施するための最良の形態】
【００１４】
本考案を図面に基づいて説明すると、図１は本考案の第１実施形態を示すカードタグの正面図、図２は図１の背面図、図３は図１のＡ−Ａ線方向拡大断面図、図４は図３の上下を逆にしてルーペの両側面に位置するカバー片の端部を下方に湾曲して重ねて保持した状態を示す一部省略した断面図、図５はカードタグを旅行カバンの杷手部に取り付けた状態を示す説明図、図６はルーペの両側面を覆うカバー片の一方の裏面に設けた個人情報記載面を示す説明図、図７は本考案の第２実施形態を示す正面図、図８は帯片の先端に設けた雌スナップを雄スナップから外した第１のカバ―片を上方に湾曲した状態の斜視図、図９は図７に示すカードタグの上下を逆さにした背面図であって、第１のカバー片を下方に湾曲し、帯片の基部を固着した第２のカバー片を下方に湾曲した状態の斜視図、図１０は本考案の第３実施形態を示す第１のカバー片の下部に設けた第２掛止部を示す一部省略した拡大平面図、図１１は第１のＵ字状切込に接近した表面部のカバー片の下部に設けた第１掛止片を示す一部省略して拡大した平面図である。
【００１５】
１は皮革、合成皮革、軟質合製樹脂材などの柔軟素材を用いて形成した方形状のカードタグ（トランクタグ）で、その表面部２及び裏面部４を合致させて各角部を弧状に形成し、その周縁部分を必要に応じて接着剤で接着すると共に、縫着して設けた縫着部６により、該表面部２及び裏面部４の周縁部を固着してある。この表面部２及び裏面部４の周縁部の内面に収容するシート状ルーペ（以下、ルーペという）の周縁部とを接着剤（図示せ図）で接着固定してもよい
【００１６】
スーツケース等の旅行カバンＡの把手部Ｂに、所有者の名前等を明示する方法として、トランクタグ、即ちカードタグを吊下げている。また、カードタグ１の表面部２及び裏面部４には上部からやや下方位置に水平方向に縫着して設けた横縫着部７の上方部分には、前記表面部２及び裏面部４の内面を接着剤で固定して補強し、左右方向に細長に形成した細巾補強部８は、該カードタグの端部を安定して指先で保持する部分をなしており、さらに、該細巾補強部８の中央部分に細巾の貫通孔９を設けてある。
【００１７】
この貫通孔９に、合成樹脂製の止具１０を一端に設けた吊下げ用の柔軟なバンド状の連結片１１を挿通し、次いで、旅行カバンＡの杷手部Ｂの内部に挿通した該連結片の止具に止着して環状に形成して吊下げてある。この連結片１１の長さは、好みに応じて長くしたり、短くすることもでき、さらに、細巾の柔軟なベルトに限らず、紐や鎖などでも良いことはもちろんである。
【００１８】
前記カードタグの表面部２及び裏面部４の間で、且つ、前記横縫着部７の下方部分には、例えば、ポリ塩化ビニール製で、厚みが０．４ｍｍの薄さで前記カードタグより一回り小さい方形状に形成したプラスチック製のシート状ルーペ（以下、ルーペという）５を収容し、該ルーペ５の周囲を接着剤などを用いて前記表面部２及び裏面部４の内面に接着固定してある。この場合、他の公知の方法で固着してもよいことはもちろんである。 
【００１９】
ルーペ５は、例えば、３．５倍のものを使用しているがこの倍率に限るものではない。尚、ルーペ５は、中央部分に設けた拡大鏡をなすレンズ部５ａの周囲に設けた周縁基部５ｂの一側を幅狭に形成し、他側はやや幅広に形成してあるが、このルーペの周縁基部５ｂの形状は上記のものに限るものではない。
【００２０】
表面部２に設けた横縫着部７のやや下方位置に基端を有した第１のＵ字状切込１３を設けて形成して第１のカバー片１４を形成し、該Ｕ字状切込１３の上部に前記表面部２と第１のカバー片１４とを連結する第１の連結部１５を有している。また、図２において、裏面部４に設けた横縫着部７のやや下方から第２のＵ字状切込１３ａを設けて第２のカバー片１４ａを形成し、該Ｕ字状切込１３ａの上部に第２の連結部１５ａを形成してある。前記カバー片１３，１３ａは柔軟部材で形成してあるため、連結部１５，１５ａの部分を支点にして各カバー片の下端を上方に湾曲させながら持ち上げてレンズ部５ａを露出してルーペ５として使用することができる。
【００２１】
ルーペ５の両側面に位置する表面部２及び裏面部４の中央部分には、第１及び第２のカバー片１４，１４ａを設けてあり、各カバー片１４，１４ａは柔軟素材で形成し、いずれか一方のカバー片の裏面に、持ち主の名前、住所、電話番号などの連絡場所を表記した個人情報記載面１７を設けてあるので、必要に応じて該カバー片の下部を持って上方に湾曲して裏面を見せれば個人情報記載面１７を見せることができる。このように、個人情報記載面１７をいずれか一方のカバー片１３，１３ａの裏面に設けたことにより、通常は、該個人情報記載面を旅行カバンの表側から見ることができないため、個人情報の漏洩を防止することができる。
【００２２】
図７〜９において、表面部２及び裏面部４の周縁部を固着すると共に、該表面部２及び裏面部４の間に固着して設けたルーペ５を有し、該表面部及び裏面部の中央部分に第１及び第２のＵ字状切込１３，１３ａを設けて形成した表面側の第１のカバー片１４の下部中央に雄スナップ３３を設けてある。また、裏面側の第２のカバー片１４ａの下部中央に後端を固着した柔軟素材でやや長尺に形成した帯片３６の先端に雌スナップ３４を取り付けてあり、前記第１のカバー片の雄スナップ３３に、前記雌スナップ３４を着脱可能に止着した状態を、図７に示してある。
【００２３】
次に、本考案の実施形態の作用について説明すると、例えば、図５の示すように、旅行力バンＡの杷手部Ｂ付近に設けた複数の小さなダイヤルからなるダイヤルロック２３や、図示しないがＴＳＡ錠や通常の錠からなる錠前を設けたものがある。そして、高齢のため強い老眼の旅行者の場合、前記杷手部Ｂにカードタグ１の取り付けて使用すると細かい文字等を拡大して見ることができ、且つ、このカードタグ１を旅行カバンの杷手部などに常に取り付けてあれば紛失することがなく、必要な時に直ちに使用することができる。
【００２４】
あらかじめダイヤルを一定の設定値に設置し、開錠させる場合にはダイヤル数値を該設定値に合致させる必要がある。しかし、該ダイヤルが小さく複数有しているので高齢者にとって細かいダイヤルを判別するのは老眼のため見にくく、該ダイヤル数値を設定値に合わせることが困難である。しかし、連結片１１で旅行カバンの杷手部Ｂにカードタグ１を吊下げてあれば、ルーペ５の両側を覆っている柔軟素材からなる各カバー片の下部を上方に湾曲して露出させたルーペ５の一端を指先で保持し、前記ダイヤルロックやＴＳＡロックの鍵穴をレンズ部５ａにより拡大して見ることにより容易にダイヤルロックの設定値を合致させることができ、また、鍵孔の位置を確認して鍵を挿入して開錠操作することにより容易に旅行カバンを開錠することができる。
【００２５】
旅行カバンの所有者が該カバンから少し離れたりした場合に、第３者がカードタグ１の表面を覆っているカバー片１４または１４ａを上方に持ち上げて、該ルーペ５でダイヤルを拡大して見ても設定値を知らないと、旅行カバンは簡単に開けることができない利点がある。またＴＳＡ錠の開錠キーは、該カバンの所有者と米国における入国係官以外は通常所有していないので、前記と同様にセキュリティー機能が高い利点を有している。
【００２６】
このカードタグ１は、内部にシート状ルーペ（ルーペ）５を具えており、旅行カバンの杷手部Ｂなどに簡単に取り外しできるように装着してあるので、必要な場合は、旅行カバンから取り外して旅行地図などの細かい部分を拡大して見ることもできるという利点も有する。 このようにカードタグ１は、連結片１１により旅行カバンＡの杷手部Ｂに装着してあるが、旅行カバンのその他の場所にも連結片１１を用いて取外可能に取り付けるのことが可能である。
【００２７】
このカードタグ１は、皮革、合成皮革、柔軟合成樹脂材などの柔軟素材を用いて形成してあるため、長年使用していると表面部２及び裏面部４の連結部１５，１５ａの部分が脆弱化し、該カバー片１４，１４ａの下部が、湾曲して外方に持ちあがってしまう場合がある。
【００２８】
さらに、両者の間にルーペ５を有した表面部２と裏面部４の中央部分に第１及び第２のＵ字状切込１３，１３ａを設けて形成した第１のカバー片１４の下部裏面に取り付けた雄スナップ３３と、また、第２のカバー片１４ａの下部に基部を止着してやや長尺な帯片の先端裏面に取り付けた雌スナップ３４とを着脱可能に止着することにより、両カバー片が経年変化により材質が劣化して柔軟になっても、前記雄スナップと雌スナップを止着することにより、両カバー片の下部がルーペの両側面から離れることなく、ルーペの両側面に密着させておくことができるので該ルーペの破損を防止できる。
【００２９】
さらにまた、図１０及び図１１に示すように、前記カバー片１４，１４ａの下部に突出片１９の裏面に第２掛止部２１を設け、また、Ｕ字状切込１３，１３ａを設けた表面部２及び裏面部４の各Ｕ字状切込に接近した位置に第１掛止部２２を取り付け、該カバー片の下方に突出した突出片の裏面に設けた第２掛止部２１を着脱可能に止着してある。この第２掛止部２１の表面に、前記第１掛止部２２と着脱可能に接着する掛止部片を設けてあるため、両カバー片１４，１４ａがルーペ５の両側部分から離れるのを防止することができる。
【００３０】
この第１掛止部２２の表面および第２掛止部２１の裏面には、それぞれ着脱可能に掛止する機能を有してあればよく、例えば、面ファスナー、ホック、ボタン等の公知の部材を用いて形成することも可能である。
【符号の説明】
【００３１】
１    カードタグ
２    表面部
４    裏面部
５    シート状ルーペ
５ａ  レンズ部
６    縫着部
７    横縫着部
８    細巾補強部
９    貫通孔
１０    止具
１１    連結片
１３    第１のＵ字状切込
１３ａ  第２のＵ字状切込
１４    第１のカバー片
１４ａ  第２のカバー片
１５    第１の連結部
１５ａ  第２の連結部
１７    個人情報記載面
１９    突出片
２１    第２掛止部
２２    第１掛止部
３３    雄スナップ
３４    雌スナップ
３６    帯片
Ａ      旅行カバン
Ｂ      杷手部
【図１】
0003179334.tif 000003
【図２】
0003179334.tif 000004
【図３】
0003179334.tif 000005
【図４】
0003179334.tif 000006
【図５】
0003179334.tif 000007
【図６】
0003179334.tif 000008
【図７】
0003179334.tif 000009
【図８】
0003179334.tif 000010
【図９】
0003179334.tif 000011
【図１０】
0003179334.tif 000012
【図１１】
0003179334.tif 000013
【図１２】
0003179334.tif 000014